(57)【要約】【課題】スロットに装着されるアダプタの形状の違いを利用し、スロットを増やすことなく多機能化を実現するデジタル放送受信装置を提供することである。【解決手段】カード２０が装着された２種類の形状のアダプタ３０を装着可能なスロット４７を有するデジタル放送受信装置４０において、スロット４７は、装着されたアダプタ３０の形状の違いを検出する検出スイッチ４９を備え、３．３Ｖ用アダプタを検出した場合、通信用カードであると判別し、受信した番組をカード内の通信部に接続された外部装置へ送信することを許可し、５Ｖ用アダプタを検出した場合、スクランブル解除用カードであると判別し、所定のスクランブル放送の解除を許可する構成とする。【選択図】図１
2008294891.tif 000002
【特許請求の範囲】
【請求項１】
カードと、該カードが装着されるアダプタと、２種類の形状のアダプタを装着可能なスロットと制御部とを有するデジタル放送受信装置と、を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、通信用カードであると判別し、受信した番組をカード内の通信部に接続された外部装置へ送信することを許可し、
他方の形状のアダプタを検出した場合、スクランブル解除用カードであると判別し、所定のスクランブル放送の解除を許可することを特徴とするデジタル放送受信システム。
【請求項２】
カードと、該カードが装着されるアダプタと、２種類の形状のアダプタを装着可能なスロットと制御部とを有するデジタル放送受信装置と、を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、スクランブル解除兼通信用カードであると判別し、所定のスクランブル放送の解除と受信した番組をカード内の通信部に接続された外部装置へ送信することとを許可し、
他方の形状のアダプタを検出した場合、スクランブル解除用カードであると判別し、所定のスクランブル放送の解除を許可することを特徴とするデジタル放送受信システム。
【請求項３】
前記一方の形状のアダプタが３．３Ｖ用、前記他方の形状のアダプタが５Ｖ用であることを特徴とする請求項１又は２記載のデジタル放送受信システム。
【請求項４】
前記検出スイッチは、前記一方の形状のアダプタでは押下され、前記他方の形状のアダプタでは押下されないことを特徴とする請求項１〜３の何れかに記載のデジタル放送受信システム。
【請求項５】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、通信用カードであると判別し、受信した番組をカード内の通信部に接続された外部装置へ送信することを許可し、
他方の形状のアダプタを検出した場合、スクランブル解除用カードであると判別し、所定のスクランブル放送の解除を許可することを特徴とするデジタル放送受信装置。
【請求項６】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、スクランブル解除兼通信用カードであると判別し、所定のスクランブル放送の解除と受信した番組をカード内の通信部に接続された外部装置へ送信することとを許可し、
他方の形状のアダプタを検出した場合、スクランブル解除用カードであると判別し、所定のスクランブル放送の解除を許可することを特徴とするデジタル放送受信装置。
【請求項７】
前記一方の形状のアダプタが３．３Ｖ用、前記他方の形状のアダプタが５Ｖ用であることを特徴とする請求項５又は６記載のデジタル放送受信装置。
【請求項８】
前記検出スイッチは、前記一方の形状のアダプタでは押下され、前記他方の形状のアダプタでは押下されないことを特徴とする請求項５〜７の何れかに記載のデジタル放送受信装置。
【請求項９】
アダプタを介してデジタル放送受信装置のスロットに装着されるスクランブル解除兼通信用カードであって、
所定のスクランブル放送の解除を行うデスクランブル部と、
デジタル放送受信装置で受信した番組をカード内の通信部に接続された外部装置へ送信する通信部とを備えたことを特徴とするスクランブル解除兼通信用カード。
【発明の詳細な説明】
【技術分野】
【０００１】
本発明は、カードと、該カードが装着されるアダプタと、２種類の形状のアダプタを装着可能なスロットを有するデジタル放送受信装置と、を含むデジタル放送受信システムに関する。
【背景技術】
【０００２】
デジタルテレビ放送サービスにおいては、所定の対価を支払って正規の受信契約を結んだ視聴者のみが番組を正しく視聴することができるように、限定受信（ＣＡ：Conditional Access）システムが採用されている。
【０００３】
この限定受信システムでは、番組提供者側が、番組を構成する映像信号や音声信号にスクランブル処理を施して送信するとともに、正規の受信契約を交わした視聴者に対して、スクランブル解除用のカードを支給する。
【０００４】
そして、視聴者がデジタル放送受信装置にカードを装着することにより、受信した映像信号や音声信号に対してデスクランブル処理を施すことができ、番組を正しく視聴することが可能となる。デジタル放送受信装置としては、デジタルチューナ、デジタル放送受信対応テレビ、デジタル放送受信対応ハードディスクレコーダ等がある。
【０００５】
また、デジタル放送の方式は世界共通ではなく、各地域で異なった規格が採用されている。したがって、スクランブル解除用のカードも異なっている。例えば、日本ではスクランブル解除用のＢ−ＣＡＳカードを直接デジタル放送受信装置のスロットに差し込むようになっているが、欧州ではスクランブル解除用のカードを５Ｖ用アダプタに差し込み、それをデジタル放送受信装置のＣＩ（Common Interface）スロットに装着するようになっている。なお、ＣＩスロットには３．３Ｖ用アダプタも装着可能となっている。
【０００６】
ところで、家庭にＰＣ（パーソナルコンピュータ）が普及するにしたがって、ＰＣでテレビ放送を視聴するユーザも増えている。チューナが搭載されたＰＣであればテレビ放送を視聴することができるが、チューナが搭載されていないＰＣでテレビ放送を視聴するためには、セットトップボックスなどで受信したテレビ放送をＰＣに伝送する必要がある。このような家庭内のシステムについては様々な提案がなされている。
【０００７】
例えば特許文献１には、ＣＡＴＶケーブルと接続されたＣＡＴＶユニットと接続された無線ユニットと、この無線ユニットからの電波を受けてＰＣに送出する端末無線ユニットとによって構成されるＣＡＴＶホームユニットシステムが開示されている。
【０００８】
また例えば特許文献２には、ＭＰＥＧ２デコーダによって圧縮符号化されたテレビ放送番組データをバスを介して受信すると、インターネットからのコンテンツデータとテレビ放送番組データを無線通信によって時分割でＰＣに送信し、コンテンツデータとテレビ放送番組データとは互いに独立したデータとしてＰＣに送信されるようにした無線伝送装置が開示されている。
【０００９】
また例えば特許文献３には、ケーブルモデム本体に、情報処理端末との接続を無線によって行う無線ＬＡＮ（Local Area Network）機能を有する拡張ユニットが付加されるとともに、この拡張ユニットとケーブルモデム本体とがプラグとコネクタによって任意に着脱可能に設けられているケーブルモデムが開示されている。
【特許文献１】特開平１０−２３４０２８号公報
【特許文献２】特開２００３−２２４７３９号公報
【特許文献３】特開２００１−５３７５０号公報
【発明の開示】
【発明が解決しようとする課題】
【００１０】
上記のように、デジタル放送受信装置には少なくともスクランブル解除用のカードを装着できるスロットが必要である。また、特許文献１〜特許文献３では、テレビ放送をＰＣで視聴するための手段が開示されている。したがって、デジタル放送受信装置で受信したデジタル放送をＰＣに送信してＰＣで視聴しようとすると、スロットと通信部とが必要になる。例えば、通信部として無線ＬＡＮカードを使用する場合は、新たにスロットを追加する必要がある。しかし、これには装置の大型化の問題や、部品点数の増加によるコスト上昇の問題がある。
【００１１】
本発明は、既存のスロットを有効利用することによりスロットを増やすことなくデジタル放送の送信を可能にし、装置の大型化やコスト上昇の問題を解決したデジタル放送受信装置を提供することを目的とする。また、このデジタル放送受信装置を含むデジタル放送受信システムと、それを構成するスクランブル解除兼通信用カードとを提供することも目的とする。
【課題を解決するための手段】
【００１２】
上記目的を達成するために本発明は、カードと、該カードが装着されるアダプタと、２種類の形状のアダプタを装着可能なスロットと制御部とを有するデジタル放送受信装置と、を含むデジタル放送受信システムにおいて、前記スロットは、装着されたアダプタの形状の違いを検出する検出スイッチを備え、前記デジタル放送受信装置の制御部は、一方の形状のアダプタを検出した場合、通信用カードであると判別し、受信した番組をカード内の通信部に接続された外部装置へ送信することを許可し、他方の形状のアダプタを検出した場合、スクランブル解除用カードであると判別し、所定のスクランブル放送の解除を許可することを特徴とする。
【００１３】
この構成によると、通信用カードとスクランブル解除用カードとのどちらが装着されているかをアダプタの形状の違いを利用して判別することができる。
【００１４】
また本発明は、カードと、該カードが装着されるアダプタと、２種類の形状のアダプタを装着可能なスロットと制御部とを有するデジタル放送受信装置と、を含むデジタル放送受信システムにおいて、前記スロットは、装着されたアダプタの形状の違いを検出する検出スイッチを備え、前記デジタル放送受信装置の制御部は、一方の形状のアダプタを検出した場合、スクランブル解除兼通信用カードであると判別し、所定のスクランブル放送の解除と受信した番組をカード内の通信部に接続された外部装置へ送信することとを許可し、他方の形状のアダプタを検出した場合、スクランブル解除用カードであると判別し、所定のスクランブル放送の解除を許可することを特徴とする。
【００１５】
この構成によると、スクランブル解除兼通信用カードとスクランブル解除用カードとのどちらが装着されているかをアダプタの形状の違いを利用して判別することができる。
【００１６】
上記のデジタル放送受信システムにおいて、前記一方の形状のアダプタが３．３Ｖ用、前記他方の形状のアダプタが５Ｖ用であることが望ましい。
【００１７】
従来より、欧州のデジタル放送受信装置においては３．３Ｖ用と５Ｖ用の兼用のスロットが採用されているからである。
【００１８】
また上記のデジタル放送受信システムにおいて、前記検出スイッチは、前記一方の形状のアダプタでは押下され、前記他方の形状のアダプタでは押下されないことが望ましい。
【００１９】
この構成によると、検出スイッチとしてタクトスイッチなど安価なスイッチを採用することができる。
【００２０】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、一方の形状のアダプタを検出した場合、通信用カードであると判別し、受信した番組をカード内の通信部に接続された外部装置へ送信することを許可し、他方の形状のアダプタを検出した場合、スクランブル解除用カードであると判別し、所定のスクランブル放送の解除を許可する構成となる。
【００２１】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、一方の形状のアダプタを検出した場合、スクランブル解除兼通信用カードであると判別し、所定のスクランブル放送の解除と受信した番組をカード内の通信部に接続された外部装置へ送信することとを許可し、他方の形状のアダプタを検出した場合、スクランブル解除用カードであると判別し、所定のスクランブル放送の解除を許可する構成となる。
【００２２】
同様に、上記のデジタル放送受信装置においては、前記一方の形状のアダプタが３．３Ｖ用、前記他方の形状のアダプタが５Ｖ用であることが望ましい。
【００２３】
また同様に、上記のデジタル放送受信装置においては、前記検出スイッチは、前記一方の形状のアダプタでは押下され、前記他方の形状のアダプタでは押下されないことが望ましい。
【００２４】
また本発明のスクランブル解除兼通信用カードは、アダプタを介してデジタル放送受信装置のスロットに装着され、所定のスクランブル放送の解除を行うデスクランブル部と、デジタル放送受信装置で受信した番組をカード内の通信部に接続された外部装置へ送信する通信部とを備えたことを特徴とする。
【００２５】
このカードによれば、デスクランブル処理と番組の送信との両方の機能を提供することができる。
【発明の効果】
【００２６】
本発明によれば、一方の形状のアアダプタ及びスクランブル解除用カードが装着されている場合にはデスクランブル処理を許可し、他方の形状のアダプタ及び通信用カードが装着されている場合には受信した番組の送信を許可することにより、スロットを増やすことなくデジタル放送の送信を可能にし、多機能化を実現することができる。
【００２７】
また本発明によれば、一方の形状のアアダプタ及びスクランブル解除用カードが装着されている場合にはデスクランブル処理を許可し、他方の形状のアダプタ及びスクランブル解除兼通信用カードが装着されている場合にはデスクランブル処理及び受信した番組の送信を許可することにより、スロットを増やすことなくデジタル放送の送信を可能にし、多機能化を実現することができる。
【００２８】
また、スロットを増やすことがないので装置の大型化やコスト上昇の問題もない。
【発明を実施するための最良の形態】
【００２９】
図１は、本発明のデジタル放送受信システムの概略構成を示すブロック図である。デジタル放送受信システム１０は、カード２０と、カード２０が装着されるアダプタ３０と、２種類の形状のアダプタを装着可能なデジタル放送受信装置４０と、アンテナ６０とを含んでいる。
【００３０】
そしてデジタル放送受信装置４０は、チューナ部４１と、復調＆ＦＥＣ部４２と、データ分離部４３と、映像・音声デコード部４４と、映像合成部４５と、音声Ｄ／Ａコンバータ４６と、スロット４７と、切替部４８と、検出スイッチ４９と、制御部５０と、ＭＰＥＧコーデック５１とを備えている。
【００３１】
アンテナ６０は、チューナ部に接続されており、デジタル放送の放送電波を受信し、電気信号である放送信号に変換してチューナ部４１へ出力する。チューナ部４１は、アンテナ６０から入力された放送信号から制御部５０が指示する周波数の放送信号を抽出し、該抽出した放送信号に対して周波数変換を行って中間周波数信号を生成し、復調＆ＦＥＣ部４２へ出力する。
【００３２】
復調＆ＦＥＣ部４２は、中間周波数信号に対して復調及びエラー訂正（ＦＥＣ）等を行ってＴＳ（トランスポートストリーム）を生成し、スクランブルの掛かっていないＴＳの場合はデータ分離部４３へ出力し、スクランブルの掛かっているＴＳの場合はカード２０へ出力する。装着されているカード２０が後述するスクランブル解除用カード又はスクランブル解除兼通信用カードである場合は、カード内でＴＳがデスクランブル処理されデータ分離部４３へ出力される。
【００３３】
データ分離部４３は、入力されたＴＳから映像データ及び音声データを分離し、映像データ及び音声データは映像・音声デコード部４４へ出力する。映像・音声デコード部４４は、入力された映像データ及び音声データをデコードし、デコードした映像データを映像合成部４５へ出力し、デコードした音声データを音声Ｄ／Ａコンバータ４６へ出力する。また、映像・音声デコード部４４は、デコードした映像データ及び音声データを制御部５０へも出力する。
【００３４】
映像合成部４５は、入力された映像データと、自ら生成した映像データとを合成し、合成データに基づく表示用信号を表示装置（不図示）へ出力する。また、映像合成部４５は、上記合成を行わず、自ら生成した映像データに基づく表示用信号を出力することも行う。音声Ｄ／Ａコンバータ４６は、入力された音声データをデジタルからアナログに変換し、スピーカ（不図示）へ出力する。なお、表示装置及びスピーカは、デジタル放送受信装置４０と一体であってもよいし、外部装置として接続するものであってもよい。
【００３５】
スロット４７は、２種類の形状のアダプタ３０を装着可能なスロットである。ここでは、駆動電圧が５Ｖ用と３．３Ｖ用のアダプタを装着できるものとして説明する。切替部４８は制御部５０とスロット４７との間に設けられ、制御部５０の指示によって５Ｖ用と３．３Ｖ用に回路を切り替える。検出スイッチ４９は、スロット４７内に設けられ、スロット４７に装着されるアダプタ３０の形状の違いを検出する。検出スイッチ４９の詳細については後述する。
【００３６】
制御部５０は、デジタル放送受信装置４０全体を制御するものであり、チューナ部４１に抽出する放送信号の周波数を指示したり、文字や図形等の画像データを生成して映像合成部４５へ出力したりする。
【００３７】
ＭＰＥＧコーデック５１は、映像・音声デコード部４４から制御部５０を介して入力された映像データ及び音声データを圧縮して映像圧縮データ及び音声圧縮データを生成し、これらをスロット４７及びアダプタ３０を介してカード２０へ出力する。
【００３８】
カード２０としては、受信契約を結んだ視聴者に支給されるスクランブル解除用カードと、デジタル放送受信装置４０の付属品であって、受信した番組をＰＣなどの外部装置へ送信することができる通信用カードと、両者の機能を兼ね備えたスクランブル解除兼通信用カードとがある。スクランブル解除用カードは５Ｖ用アダプタに装着して用い、通信用カード及びスクランブル解除兼通信用カードは３．３Ｖ用アダプタに装着して用いる仕様となっている。なお、カード２０の形態には特に限定はなく、例えば、ＩＣカード、ＳＤメモリカード、ＣＦカードなどを用いることができる。
【００３９】
図２に、５Ｖ用アダプタにスクランブル解除用カードが装着された状態のブロック図を示し、図３に、３．３Ｖ用アダプタに通信用カードが装着された状態のブロック図を示し、図４に、３．３Ｖ用アダプタにスクランブル解除兼通信用カードが装着された状態のブロック図を示す。
【００４０】
図２に示すように、スクランブル解除用カード２１は５Ｖ用アダプタ３１に装着して使用する。スクランブル解除用カード２１には、解除キー２２と、デスクランブル部２３とが内蔵されている。解除キー２２は、スクランブルの掛かった所定の番組を解除するためのキー情報であり、この解除キー２２の種類によって受信契約を結んだ番組のスクランブル解除を行うことができる。デスクランブル部２３は、復調＆ＦＥＣ部４２から入力されたＴＳをデスクランブル処理し、データ分離部４３へ出力する。以後の処理はスクランブルの掛かっていないＴＳと同様に行うことができる。
【００４１】
図３に示すように、通信用カード２５は３．３Ｖ用アダプタ３２に装着して使用する。通信用カード２５には、外部装置と通信する通信部である無線通信部２６が内蔵され、無線通信部２６にはアンテナ２８が接続されている。無線通信部２６としては、例えば無線ＬＡＮを介してＰＣとの間でデータの送受信を行うワイヤレスＬＡＮデバイスなどを用いることができる。ワイヤレスＬＡＮデバイスとしては、例えばＩＥＥＥ８０２．１１ｂやＩＥＥＥ８０２．１１ａなどの規格に対応したものが用いられる。無線通信部２６は、ＭＰＥＧコーデック５１から入力された映像圧縮データ及び音声圧縮データをＰＣへ送信したり、ＰＣからの選局などの番組視聴に関する要求（コマンド）を受信したりする。
【００４２】
図４に示すように、スクランブル解除兼通信用カード２７は３．３Ｖ用アダプタ３２に装着して使用する。スクランブル解除兼通信用カード２７は、上記のスクランブル解除用カード２１と通信用カード２５の機能を合わせもったカードであり、解除キー２２と、デスクランブル部２３と、記録部２６とが内蔵されている。このスクランブル解除兼通信用カード２７によれば、デスクランブル処理と通信とを行うことができる。
【００４３】
図５は、５Ｖ用アダプタ３１の外観図であり、（ａ）は平面図、（ｂ）は正面図、（ｃ）は側面図である。図６は、３．３Ｖ用アダプタ３２の外観図であり、（ａ）は平面図、（ｂ）は正面図、（ｃ）は側面図である。図４及び図５では図示していないが、カード２１、２５はアダプタ３１、３２の背面側から挿入されてアダプタ３１、３２内に装着される。
【００４４】
図５と図６を比較するとわかるように、５Ｖ用アダプタ３１及び３．３Ｖ用アダプタ３２の右側面の正面端部には、それぞれ切り欠き３１ａ、３１ｂが形成されており、切り欠き３１ａの厚みが切り欠き３２ａの厚みよりも厚くなっている。５Ｖ用アダプタ３１及び３．３Ｖ用アダプタ３２のそれ以外の形状は同じである。
【００４５】
次に、検出スイッチ４９の詳細について説明する。図７は、５Ｖ用アダプタ３１が装着された状態の検出スイッチ４９の外観図であり、（ａ）は平面図、（ｂ）は正面図である。図８は、３．３Ｖ用アダプタ３２が装着された状態の検出スイッチ４９の外観図であり、（ａ）は平面図、（ｂ）は正面図である。
【００４６】
検出スイッチ４９は、アダプタ３１、３２が装着されたときに切り欠き３１ａには触れず（図７参照）、切り欠き３２ａの下方のアダプタ側面３２ｂで押下されるように（図８参照）、スロット４７の側面４７ａに配設されている。また検出スイッチ４９は、略直方体であり、少なくとも挿入側端部４９ａの角は、丸めるか斜めに形成しておくことが望ましい。３．３Ｖ用アダプタ３２が挿入される際に検出スイッチ４９がスムーズに押下されるようにするためである。また検出スイッチ４９は、押下されていない状態でＯＦＦ、押下されている状態でＯＮとなるスイッチであり、タクトスイッチなどを用いることができる。
【００４７】
なお、検出スイッチ４９は上記の形状に限定されることはなく、例えば、棒状（針状）にしてアダプタ３０の挿入方向に押下されるように、切り欠き３１ａに対向するスロット４７の奥面４７ｂに配設してもよい。
【００４８】
次に、スクランブル解除及び通信に関するデジタル放送受信装置４０の動作について説明する。図９は、デジタル放送受信装置４０の動作を示すフローチャートである。
【００４９】
まず制御部５０は、ステップＳ１０においてカード２０及びアダプタ３０がスロット４７に装着されたか否かを判別する。これは、制御部５０に入力されるカードディテクト信号によって判別される。例えば、スロット４７に何も装着されていない場合にはカードディテクト信号がｈｉｇｈになるようにし、カード２０及びアダプタ３０が装着された場合にはカードディテクト信号がｌｏｗとなるようにすれば判別できる。
【００５０】
ステップＳ１０においてカード２０及びアダプタ３０がスロット４７に装着されていないと判別した場合は、ステップＳ１１へ進んで映像及び音声をデスクランブル処理なしで出力する。つまり、スクランブルの掛かっていない番組は視聴できるがスクランブルの掛かった番組は視聴できない状態である。
【００５１】
一方、ステップＳ１０においてカード２０及びアダプタ３０がスロット４７に装着されていると判別した場合は、ステップＳ１２へ進んで検出スイッチ４９のＯＮ／ＯＦＦを判別する。ステップＳ１２においてＯＦＦと判別すると、５Ｖ用アダプタ３１、つまりスクランブル解除用カード２１が装着されていることがわかるので、ステップＳ１３へ進んでデスクランブル処理を許可する。
【００５２】
一方、ステップＳ１２においてＯＮと判別すると、３．３Ｖ用アダプタ３２、つまり通信用カード２５又はスクランブル解除兼通信用カード２７のどちらかが装着されていることがわかるので、ステップＳ１４へ進んで通信用カード２５かスクランブル解除兼通信用カード２７のどちらが装着されているか判別する。この判別は、例えば制御部５０がカードへデスクランブル部２３の存在を確認する信号と、無線通信部２６の存在を確認する信号とをそれぞれ出力し、カードから応答信号があったものは存在していると判別すればよい。
【００５３】
ステップＳ１４において通信用カード２５であると判別した場合は、ステップＳ１５へ進んで無線通信部２６からの番組の送信を許可する。送信が許可されると、ユーザは送信先のＰＣを操作してテレビ視聴要求等のコマンドを送信すれば、無線通信部２６からＰＣへ所望の番組が送信され、ＰＣで番組を視聴することができる。このときデジタル放送受信装置４０は、無線通信部２６でＰＣからのテレビ視聴要求を受信し、制御部５０で受信した要求がテレビ視聴要求であると解析する。そして、制御部５０は、テレビチャンネル番号や伝送レート（発生符号量のビットレート）などのパラメータを含むコマンドを生成して各部へ指示する。これにより、チューナ部４１によってデジタル放送の番組の受信動作が開始され、受信した番組は最終的にＭＰＥＧコーデック５１で圧縮されて無線通信部２６からＰＣへ送信される。
【００５４】
一方、ステップＳ１４においてスクランブル解除兼通信用カード２７であると判別した場合は、ステップＳ１６へ進んでデスクランブル処理と無線通信部２６からの番組の送信とを許可する。デスクランブル処理と送信の方法は上記と同様である。
【００５５】
このように、５Ｖ用アダプタ３１及びスクランブル解除用カード２１が装着されている場合にはデスクランブル処理を許可し、３．３Ｖ用アダプタ３２及び通信用カード２５が装着されている場合には番組の送信を許可し、３．３Ｖ用アダプタ３２及びスクランブル解除兼通信用カード２７が装着されている場合にはデスクランブル処理及び受信した番組の送信を許可することにより、スロットを増やすことなくデジタル放送の送信を可能にし、多機能化を実現することができる。また、スロットを増やすことがないので装置の大型化やコスト上昇の問題もない。
【００５６】
なお、上記の実施形態においてはＭＰＥＧコーデック５１をデジタル放送受信装置４０内に設けているが、これは通信用カード２５やスクランブル解除兼通信用カード２７内に設けてもよい。この構成によれば、デジタル放送受信装置４０のコストを抑えることができるので、通信機能を必要としないユーザの負担が少なくなる。
【００５７】
また、上記の実施形態においては通信部として無線通信部２６を用いているが、ＬＡＮ配線などで接続される有線通信部を用いてもよい。この場合、カードにはアンテナの代わりに配線が接続される。
【産業上の利用可能性】
【００５８】
本発明のデジタル放送受信装置は、セットトップボックスをはじめとし、テレビ、ＤＶＤレコーダやＨＤＤレコーダ等の記録再生装置、それらの複合機に利用することができる。
【図面の簡単な説明】
【００５９】
【図１】本発明のデジタル放送受信システムの概略構成を示すブロック図である。
【図２】５Ｖ用アダプタにスクランブル解除用カードが装着された状態のブロック図である。
【図３】３．３Ｖ用アダプタに通信用カードが装着された状態のブロック図である。
【図４】３．３Ｖ用アダプタにスクランブル解除兼通信用カードが装着された状態のブロック図である。
【図５】５Ｖ用アダプタの外観図であり、（ａ）は平面図、（ｂ）は正面図、（ｃ）は側面図である。
【図６】３．３Ｖ用アダプタの外観図であり、（ａ）は平面図、（ｂ）は正面図、（ｃ）は側面図である
【図７】５Ｖ用アダプタが装着された状態の検出スイッチの外観図であり、（ａ）は平面図、（ｂ）は正面図である。
【図８】３．３Ｖ用アダプタが装着された状態の検出スイッチの外観図であり、（ａ）は平面図、（ｂ）は正面図である。
【図９】デジタル放送受信装置の動作を示すフローチャートである。
【符号の説明】
【００６０】
１０    デジタル放送受信システム
２０    カード
２１    スクランブル解除用カード
２５    通信用カード
２６    無線通信部
２７    スクランブル解除兼通信用カード
３０    アダプタ
３１    ５Ｖ用アダプタ
３２    ３．３Ｖ用アダプタ
４７    スロット
４９    検出スイッチ
【図１】
2008294891.tif 000003
【図２】
2008294891.tif 000004
【図３】
2008294891.tif 000005
【図４】
2008294891.tif 000006
【図５】
2008294891.tif 000007
【図６】
2008294891.tif 000008
【図７】
2008294891.tif 000009
【図８】
2008294891.tif 000010
【図９】
2008294891.tif 000011